(57)【特許請求の範囲】
【請求項１】
１又は複数のレンズを保持する第１レンズ保持部材と、光軸と直交する光軸直交方向に対する前記第１レンズ保持部材の傾きを調整し得るように前記第１レンズ保持部材を支持する鏡筒本体とを備え、
前記鏡筒本体と前記第１レンズ保持部材との何れか一方は、前記鏡筒本体に対する前記第１レンズ保持部材の前記光軸直交方向の位置を決めるための複数の位置決め用突部を備え、
前記鏡筒本体と前記第１レンズ保持部材との何れか他方は、前記位置決め用突部それぞれを受容する複数の突部受容孔を備え、
前記突部受容孔は、前記位置決め用突部を移動可能に受容し得るように所定の一方向に延された少なくとも１つの長孔形状の長孔状受容孔を備えているレンズ鏡筒であって、
前記鏡筒本体は、前記第１レンズ保持部材を支持する支持筒を備え、
前記支持筒は、互いに距離を隔てるように配置され前記第１レンズ保持部材を支持する少なくとも２つの支持部を備え、
前記第１レンズ保持部材は、前記２つの支持部のそれぞれに支持される被支持部を備え、
前記被支持部は、前記支持部に前記被支持部が支持される際に、前記２つの支持部を結ぶ線を回動軸に前記第１レンズ保持部材が前記回動軸回りに回動して前記傾きを調整されるように支持されており、
前記長孔状受容孔の長手方向となる前記一方向は、前記回動軸及び前記光軸と略直交しており、
前記長孔状受容孔は、前記光軸方向を向いており、
前記傾きの調整時に、前記長孔状受容孔で受容される前記位置決め用突部が前記長孔状受容孔を前記一方向に相対移動可能にされていることを特徴とするレンズ鏡筒。
【請求項２】
前記突部受容孔は、前記他方の周方向に略等間隔に配置された第１長孔状受容孔、第２長孔状受容孔及び第３長孔状受容孔の３つの長孔状受容孔からなることを特徴とする請求項１記載のレンズ鏡筒。
【請求項３】
前記支持筒は、互いに距離を隔てるように配置され前記第１レンズ保持部材を支持する３つの支持部を備え、
前記支持部は、前記鏡筒本体の周方向に沿って配置された第１支持部、第２支持部及び第３支持部を備え、
前記第１レンズ保持部材は、前記２つの支持部のそれぞれに支持される被支持部を備え、
前記被支持部は、前記支持部に前記被支持部が支持される際に、前記第１支持部と前記第２支持部とを結ぶ線を第１回動軸にして前記第１レンズ保持部材が前記第１回動軸回りに回動可能に、且つ、前記第２支持部と第３支持部とを結ぶ線を第２回動軸にして前記第１レンズ保持部材が前記第２回動軸回りに回動可能に、尚且つ、前記第３支持部と第１支持部とを結ぶ線を第３回動軸にして前記第１レンズ保持部材が前記第３回動軸回りに回動可能に支持されており、
前記第１長孔状受容孔の長手方向は、前記第１回動軸に略直交し、
前記第２長孔状受容孔の長手方向は、前記第２回動軸に略直交し、
前記第３長孔状受容孔の長手方向は、前記第３回動軸に略直交していることを特徴とする請求項２に記載のレンズ鏡筒。
【請求項４】
前記第１支持部と前記第２支持部と前記第３支持部とは、互いに前記鏡筒本体の周方向に略等間隔に配置され、
前記各被支持部は、前記第１支持部と第２支持部と第３支持部とのいずれかに選択的に支持されるように、前記第１レンズ保持部材の周方向に略等間隔に配置されていることを特徴とする請求項３に記載のレンズ鏡筒。
【請求項５】
前記位置決め用突部と前記突部受容孔とを接着した接着剤を、更に備え、
前記接着剤は、前記位置決め用突部の外周と前記突部受容孔の内周壁との間に充填されていることを特徴とする請求項１〜４の何れか一項に記載のレンズ鏡筒。
【請求項６】
前記突部受容孔の内周壁は、前記接着剤を貯留する接着剤溜り部を備え、
前記接着剤は、前記接着剤溜り部に貯留されていることを特徴とする請求項５に記載のレンズ鏡筒。
【請求項７】
前記第１レンズ保持部材に対して前記鏡筒本体を所定の方向に付勢するための付勢部を、更に備えていることを特徴とする請求項１〜６の何れか一項に記載のレンズ鏡筒。
【請求項８】
前記筐体本体は、前記突部受容孔に受容された前記位置決め用突部を付勢する弾性を有する弾性片と、前記弾性片を挟んで前記突部受容孔と反対側に形成された弾性形成用孔とを備え、
前記弾性片は、前記位置決め用突部が前記突部受容孔に受容される際に、前記位置決め用突部の外周に押圧されて弾性変形し前記弾性変形に伴う弾性力によって前記位置決め用突部の外周を付勢するように形成され、
前記弾性形成用孔は、前記位置決め用突部が前記突部受容孔に受容されるに伴い前記弾性片が弾性変形し得るように前記レンズ保持部材の一部から構成されており、
前記付勢部は、前記弾性片からなることを特徴とする請求項７に記載のレンズ鏡筒。
【請求項９】
前記付勢部は、前記第１レンズ保持部材を保持した前記鏡筒本体が光軸水平状態で、前記第１レンズ保持部材に対して前記鏡筒本体を付勢する付勢力が前記鏡筒本体の重力方向と同一方向の重力方向成分を持つように形成されていることを特徴とする請求項７又は８に記載のレンズ鏡筒。
【発明の詳細な説明】
【技術分野】
【０００１】
本発明は、レンズ鏡筒に関するものである。
【背景技術】
【０００２】
近年、デジタルカメラの撮像レンズ、特にレンズ交換可能なシステムにおける交換レンズは、より高い光学性能が要求されている。高い光学性能、例えば片ボケの少ない撮像レンズ鏡筒を達成するために構成レンズ群の一部のレンズを、光軸と直交する光軸直交方向に対して傾き調整をすることにより性能を維持している。
【０００３】
例えば特許文献１に、光軸に対してレンズ保持部材の傾き調整を行い得るレンズ鏡筒が開示されている。この特許文献１に開示されたレンズ鏡筒は、固定筒を有する鏡筒本体と、固定筒に嵌合されるように保持されたレンズ保持部材と、固定筒とレンズ保持部材とを連結し光軸に対するレンズ保持部材の傾き調整を行う３つの調整ねじと、固定筒とレンズ保持部材とにおける光軸方向の間に配置された、板バネとして作用する輪帯状のスペーサとを備え、また、調整ねじは、固定筒の周方向に等間隔位置に配置されており、そして、これらの調整ねじを適宜回転させて固定筒とレンズ保持部材とにおける光軸方向の間隙を調整することで光軸直交方向に対するレンズ保持部材の傾き調整を行うようにしている。
【先行技術文献】
【特許文献】
【０００４】
【特許文献１】特開２００９−１５６９６０号公報
【発明の概要】
【発明が解決しようとする課題】
【０００５】
しかしながら、特許文献１では、レンズ保持部材が固定筒に嵌合されることで固定筒に対するレンズ保持部材の光軸直交方向の位置が定まるため、レンズ保持部材と固定筒とのそれぞれの径寸法が一般公差で形成されると互いの径寸法の差が大きくなる場合があり、その場合にはレンズ保持部材と固定筒との互いの光軸直交方向である径方向のガタが大きくなって傾き調整時に径方向の位置ずれによるシフト誤差が発生する。このシフト誤差が光学性能感度に大きく影響を与える場合にはねらい通りの傾き調整が行い難くなってしまう。
【０００６】
また、径方向のガタが大きい場合には、レンズ鏡筒が衝撃を受けた際に調整されたレンズ保持部材の位置変動が大きく光学性能劣化が発生する場合がある。更には、組立工程でレンズ保持部材を一旦取り外して再度組み付けた際の再現性が低くなってしまう。
【０００７】
その一方、前述の不具合を解消するために、径方向のガタを小さく抑えるように製作するとすれば、各部品について高い加工精度が必要となりコストアップにつながってしまう。しかも、径方向のガタを小さくした場合においては、傾き調整を行う際に嵌合部で互いに動き難くなる場合があり、結果として傾き調整が狙い通りに行い難く、傾き調整精度が低下するおそれがある。
【０００８】
本発明は、鏡筒本体とレンズ保持部材との光軸直交方向位置を容易に且つ精度よく決めることができ、光軸直交方向に対するレンズ保持部材の光軸直交方向に対する傾き調整を容易に正確に行い得るレンズ鏡筒の提供を目的とする。
【課題を解決するための手段】
【０００９】
本発明者は、種々検討した結果、上記目的は、以下の本発明により達成されることを見出した。すなわち、本発明の一態様にかかるレンズ鏡筒は、１又は複数のレンズを保持する第１レンズ保持部材と、光軸と直交する光軸直交方向に対する前記第１レンズ保持部材の傾きを調整し得るように前記第１レンズ保持部材を支持する鏡筒本体とを備え、前記鏡筒本体と前記第１レンズ保持部材との何れか一方は、前記鏡筒本体に対する前記第１レンズ保持部材の前記光軸直交方向の位置を決めるための複数の位置決め用突部を備え、前記鏡筒本体と前記レンズ保持部材との何れか他方は、前記位置決め用突部それぞれを受容する複数の突部受容孔を備え、前記突部受容孔は、前記位置決め用突部を移動可能に受容し得るように所定の一方向に延された少なくとも１つの長孔形状の長孔状受容孔を備えていることを特徴とする。
【００１０】
これによれば、複数の位置決め用突部のそれぞれが突部受容孔に受容することで光軸直交方向における鏡筒本体に対する第１レンズ保持部材の位置を決めるため、位置決め用突部及び突部受容孔を第１レンズ保持部材よりも径小にでき、位置決め用突部と突部受容孔と径が一般公差での製作で互いの差を小さくでき、鏡筒本体に対する第１レンズ保持部材の光軸直交方向の位置を容易に且つ精度よく決めることができる。
【００１１】
その際、突部受容孔は、位置決め用突部を移動可能に受容し得るように所定の一方向に延された長孔形状の少なくとも１つの長孔状受容孔を備えているため、位置決め用突部と突部受容孔との製作時に製作誤差等によって若干の位置ずれが生じている場合でも、位置決め用突部が突部受容孔にこじれを生じることなく受容される。又、光軸直交方向に対する第１レンズ保持部材の傾き調整を行う際にも、位置決め用突部と突部受容孔とのこじれの発生を抑えることができ、光軸直交方向に対する第１レンズ保持部材の傾き調整を円滑且つ正確に行うことができる。
【００１２】
他の一態様では、前記レンズ鏡筒において、前記鏡筒本体は、前記第１レンズ保持部材を支持する支持筒を備え、前記支持筒は、互いに距離を隔てるように配置され前記第１レンズ保持部材を支持する少なくとも２つの支持部を備え、前記第１レンズ保持部材は、前記２つの支持部のそれぞれに支持される被支持部を備え、前記被支持部は、前記支持部に前記被支持部が支持される際に、前記２つの支持部を結ぶ線を回動軸に前記第１レンズ保持部材が前記回動軸回りに回動して前記傾きを調整されるように支持されており、前記長孔状受容孔の長手方向となる前記一方向は、前記回動軸と略直交していることを特徴とする。
【００１３】
これによれば、第１レンズ保持部材が回動軸回りに回動することで鏡筒本体に対する第１レンズ保持部材の傾き調整を行うことができ、第１レンズ保持部材の傾き調整を容易に行うことができる。
【００１４】
また、その際、長孔状受容孔の長手方向となる一方向が回動軸と略直交しているため、第１レンズ保持部材が回動軸回りに回動する際に位置決め用突部が突部受容孔を移動でき、位置決め用突部と突部受容孔とのこじれの発生を確実に抑えることができる。
【００１５】
他の一態様では、前記レンズ鏡筒において、前記突部受容孔は、前記他方の周方向に略等間隔に配置された第１長孔状受容孔、第２長孔状受容孔及び第３長孔状受容孔の３つの長孔状受容孔からなることを特徴とする。
【００１６】
これによれば、位置決め用突部と突部受容孔とのこじれの発生を、より一層確実に抑えることができる。
【００１７】
他の一態様では、前記レンズ鏡筒において、前記鏡筒本体は、前記第１レンズ保持部材を支持する支持筒を備え、前記支持筒は、互いに距離を隔てるように配置され前記第１レンズ保持部材を支持する３つの支持部を備え、前記支持部は、前記鏡筒本体の周方向に沿って配置された第１支持部、第２支持部及び第３支持部を備え、前記第１レンズ保持部材は、前記２つの支持部のそれぞれに支持される被支持部を備え、前記支持部は、前記鏡筒本体の周方向に沿って配置された第１支持部、第２支持部及び第３支持部を備え、前記被支持部は、前記支持部に前記被支持部が支持される際に、前記第１支持部と前記第２支持部とを結ぶ線を第１回動軸にして前記第１レンズ保持部材が前記第１回動軸回りに回動可能に、且つ、前記第２支持部と第３支持部とを結ぶ線を第２回動軸にして前記第１レンズ保持部材が前記第２回動軸回りに回動可能に、尚且つ、前記第３支持部と第１支持部とを結ぶ線を第３回動軸にして前記第１レンズ保持部材が前記第３回動軸回りに回動可能に支持されており、前記第１長孔状受容孔の長手方向は、前記第１回動軸に略直交し、前記第２長孔状受容孔の長手方向は、前記第２回動軸に略直交し、前記第３長孔状受容孔の長手方向は、前記第３回動軸に略直交していることを特徴とする。
【００１８】
これによれば、第１レンズ保持部材が第１回動軸〜第３回動軸のそれぞれの軸回りに回動する場合でも第１長孔状受容孔〜第３長孔状受容孔のそれぞれに受容された位置決め用突部がそれぞれの第１長孔状受容孔〜第３長孔状受容孔内を移動できる。従って、第１レンズ保持部材が周方向の３箇所で傾き調整される場合に、位置決め用突部のこじれを抑えることができる。
【００１９】
他の一態様では、前記レンズ鏡筒において、前記第１支持部と前記第２支持部と前記第３支持部とは、互いに前記鏡筒本体の周方向に略等間隔に配置され、前記各被支持部は、前記第１支持部と第２支持部と第３支持部とのいずれかに選択的に支持されるように、前記第１レンズ保持部材の周方向に略等間隔に配置されていることを特徴とする。
【００２０】
これによれば、第１レンズ保持部材を支持筒に組付ける際、支持筒に対して第１レンズ保持部材を光軸回りに回動させることで各被支持部を第１支持部と第２支持部と第３支持部とのいずれかに支持でき、組付け操作が容易になる。また、支持筒に対して第１レンズ保持部材を光軸回りに回動させて、誤差による光学性能劣化が最も小さい被支持部と第１支持部から第３支持部とを位置合わせして第１レンズ保持部材の鏡筒本体に対する傾き調整を行うことも可能になる。
【００２１】
他の一態様では、前記レンズ鏡筒において、前記位置決め用突部と前記突部受容孔とを接着した接着剤を、更に備え、前記接着剤は、前記位置決め用突部の外周と前記突部受容孔の内周壁との間に充填されていることを特徴とする。
【００２２】
これによれば、第１レンズ保持部材の傾き調整後、レンズ鏡筒が衝撃力を受けた場合でも、光軸直交方向に対して傾き調整された第１レンズ保持部材の動きが抑えられ、鏡筒本体に第１レンズ保持部材を強固に保持できる。
【００２３】
他の一態様では、前記レンズ鏡筒において、前記突部受容孔の内周壁は、前記接着剤を貯留する接着剤溜り部を備え、前記接着剤は、前記接着剤溜り部に貯留されていることを特徴とする。
【００２４】
これによれば、鏡筒本体に第１レンズ保持部材を、より一層、強固に保持できる。
【００２５】
他の一態様では、前記レンズ鏡筒において、前記第１レンズ保持部材に対して前記鏡筒本体を所定の方向に付勢するための付勢部を、更に備えていることを特徴とする。
【００２６】
これによれば、第１レンズ保持部材の傾き調整を行う際に、第１レンズ保持部材に対する支持筒の微小な変位の発生を抑えることができ、傾き調整を容易に且つ正確に行うことができる。
【００２７】
他の一態様では、前記レンズ鏡筒において、前記筐体本体は、前記突部受容孔に受容された前記位置決め用突部を付勢する弾性を有する弾性片と、前記弾性片を挟んで前記突部受容孔と反対側に形成された弾性形成用孔とを備え、前記弾性片は、前記位置決め用突部が前記突部受容孔に受容される際に、前記位置決め用突部の外周に押圧されて弾性変形し前記弾性変形に伴う弾性力によって前記位置決め用突部の外周を付勢するように形成され、前記弾性形成用孔は、前記位置決め用突部が前記突部受容孔に受容されるに伴い前記弾性片が弾性変形し得るように前記レンズ保持部材の一部から構成されており、前記付勢部は、前記弾性片からなることを特徴とする。
【００２８】
これによれば、第１レンズ保持部材における突部受容孔と位置決め用突部との間の部位が弾性片に形成されているため、別途に付勢部材を設けずに済み、部品点数を少なくでき、しかも、低コスト化を図ることができる。
【００２９】
他の一態様では、前記レンズ鏡筒において、前記付勢部は、前記第１レンズ保持部材を保持した前記鏡筒本体が光軸水平状態で、前記第１レンズ保持部材に対して前記鏡筒本体を付勢する付勢力が前記鏡筒本体の重力方向と同一方向の重力方向成分を持つように形成されていることを特徴とする。
【００３０】
これによれば、鏡筒本体が光軸水平状態となるレンズ鏡筒の基本姿勢における鏡筒本体の重力方向と同一方向の重力方向成分を持つように付勢部が形成されているため、第１レンズ保持部材に対して鏡筒本体を効率的にガタ寄せでき、第１レンズ保持部材と鏡筒本体とのガタを確実に抑えることができる。
他の一態様では、１又は複数のレンズを保持する第１レンズ保持部材と、光軸と直交する光軸直交方向に対する前記第１レンズ保持部材の傾きを調整し得るように前記第１レンズ保持部材を支持する鏡筒本体とを備え、前記鏡筒本体と前記第１レンズ保持部材との何れか一方は、前記鏡筒本体に対する前記第１レンズ保持部材の前記光軸直交方向の位置を決めるための複数の位置決め用突部を備え、前記鏡筒本体と前記第１レンズ保持部材との何れか他方は、前記位置決め用突部それぞれを受容する複数の突部受容孔を備え、前記突部受容孔は、前記位置決め用突部を移動可能に受容し得るように所定の一方向に延された少なくとも１つの長孔形状の長孔状受容孔を備えているレンズ鏡筒であって、前記鏡筒本体は、前記第１レンズ保持部材を支持する支持筒を備え、前記支持筒は、互いに距離を隔てるように配置され前記第１レンズ保持部材を支持する少なくとも２つの支持部を備え、前記第１レンズ保持部材は、前記２つの支持部のそれぞれに支持される被支持部を備え、前記被支持部は、前記支持部に前記被支持部が支持される際に、前記２つの支持部を結ぶ線を回動軸に前記第１レンズ保持部材が前記回動軸回りに回動して前記傾きを調整されるように支持されており、前記長孔状受容孔の長手方向となる前記一方向は、前記回動軸及び前記光軸と略直交しており、前記長孔状受容孔は、前記光軸方向を向いており、前記傾きの調整時に、前記長孔状受容孔で受容される前記位置決め用突部が前記長孔状受容孔を前記一方向に相対移動可能にされていることを特徴とする。
【発明の効果】
【００３１】
本発明のレンズ鏡筒は、鏡筒本体とレンズ保持部材との光軸直交方向位置を容易に且つ精度よく決めることができ、光軸直交方向に対するレンズ保持部材の光軸直交方向に対する傾き調整を容易に正確に行うことができる。
【図面の簡単な説明】
【００３２】
【図１】本発明の一実施の形態のレンズ鏡筒の広角端の断面図である。
【図２】図１のレンズ鏡筒の望遠端の断面図である。
【図３】図１のレンズ鏡筒が有する第１レンズ保持部材及び支持筒の分解斜視図である。
【図４】図３の第１レンズ保持部材が支持筒に支持された状態の斜視図である。
【図５】図４の背面図である。
【図６】図５のＶＩ−ＶＩ線断面図である。
【図７】図５のＶＩＩ−ＶＩＩ線断面図である。
【図８】図５のＡ部の拡大図である。
【図９】第１レンズ保持部材及び支持筒の他の実施形態の斜視図である。
【図１０】図９の背面図である。
【図１１】第１レンズ保持部材及び支持筒の更に他の実施形態の斜視図である。
【図１２】図１１の背面図である。
【図１３】図１２のＸＩＩＩ−ＸＩＩＩ線断面図である。
【図１４】図１１の更に他の実施形態における第１レンズ保持部材の長孔状受容孔と位置決め用突部との関係を説明するための要部拡大断面図である。
【発明を実施するための形態】
【００３３】
以下、本発明を実施するための形態について、図面を参照しながら詳細に説明する。図１は、本発明の一実施の形態のレンズ鏡筒の広角端の断面図、図２は、図１のレンズ鏡筒の望遠端の断面図、図３は、図１のレンズ鏡筒が有する第１レンズ保持部材及び支持筒の分解斜視図、図４は、図３の第１レンズ保持部材が支持筒に支持された状態の斜視図である。
【００３４】
本実施の形態のレンズ鏡筒１は、鏡筒本体２と、レンズ保持部材３〜６とを備えている。
【００３５】
鏡筒本体２は、固定筒２１と、カム環２２と、ズーム操作環２３と、フォーカス操作環２４と、支持筒２５とを備えている。
【００３６】
固定筒２１は、この実施形態では、第１固定筒２１１と、第１固定筒２１１と固定的に連結された第２固定筒２１２とを備えている。
【００３７】
第１固定筒２１１は、像側（図のＸ２側）の端部に、マウント２１１ａを備えており、このマウント２１１ａにカメラ本体２００が着脱自在に取り付けられるようになっており、このマウント２１１ａを介してレンズ鏡筒１がカメラ本体２００に機械的及び電気的に結合されて取り付けられる。
【００３８】
第２固定筒２１２は、光軸Ｃ方向に沿う直進溝２１２ａを備えている。そして、この第２固定筒２１２は、第２固定筒２１２の外周と第１固定筒２１１の内周との間に、カム環２２を配設できる隙間ができるように、第１固定筒２１１の内周側に配置されている。尚、これらの第１固定筒２１１及び第２固定筒２１２に軸心は、光軸Ｃに一致するように配置されている。
【００３９】
カム環２２は、この実施形態では、第１カム溝２２１と、第２カム溝２２２と、第３カム溝２２３とを備えている。そして、このカム環２２は、第１固定筒２１１の内周側且つ第２固定筒２１２の外周側との隙間に、光軸Ｃ回りに回動自在に配置されている。
【００４０】
ズーム操作環２３は、第１固定筒２１１の外周側に、光軸Ｃ回りに回動自在に配置されている。又、ズーム操作環２３は、ズーム連動ピン２３ａを介してカム環２２と連結されており、これにより、ズーム操作環２３が回動操作されると、カム環２２が連動してズーム操作環２３と共に光軸Ｃ回りに回動する。
【００４１】
フォーカス操作環２４は、第１固定筒２１１の外周側、且つ、ズーム操作環２３の対物側（図のＸ１側）に光軸Ｃ回りに回動自在に配置されている。又、このフォーカス操作環２４は、不図示のフォトセンサと電気的に接続されており、フォーカス操作環２４が回動操作されると、回動量や回動方向等がフォトセンサに検知されるようになっている。
【００４２】
支持筒２５は、後述の第１レンズ保持部材３を支持するためのもので、図３〜図７に示すように、支持筒２５は、略円筒形状の円筒部２６と、円筒部２６の外周に形成された鍔部２７とを備えている。
【００４３】
円筒部２６は、像側の外周に、３つのカムフォロア７が取り付けられている。これらのカムフォロア７は、円筒部２６の周方向に沿って等間隔に配置されている。
【００４４】
また、円筒部２６は、対物側の内周に、後述の第１レンズ保持部材３が嵌挿する嵌挿部２６１を備えている。
【００４５】
鍔部２７は、略円板状の鍔本体２７０と、第１レンズ保持部材３を支持する支持部２７１〜２７３と、後述の第１レンズ保持部材３の位置決め用突部３２２、３２３のそれぞれを受容する複数（この実施形態では２つ）の突部受容孔２７５、２７６とを備えている。
【００４６】
鍔本体２７０は、円筒部２６における対物側の端部に、円筒部２６の外周から径方向外側に突設されている。
【００４７】
支持部は、鍔部２７の周方向に沿って等間隔に配置された第１支持部２７１、第２支持部２７２及び第３支持部２７３を備えている。これらの第１支持部２７１と第２支持部２７２と第３支持部２７３とは、同構成を採っている。以下に、第１支持部２７１について説明し、第２支持部２７２及び第３支持部２７３の説明を省略する。
【００４８】
第１支持部２７１は、鍔本体２７０に光軸方向に貫通するように形成された支持孔２７１ａと、支持孔２７１ａに挿通される支持ボルト２７１ｂと、支持ボルト２７１ｂと螺合するナット部材２７１ｃと、ナット部材２７１ｃを回り止めするナット回り止め部２７１ｄとを備えている。
【００４９】
突部受容孔は、少なくとも１つの長孔形状の長孔状受容孔を備えている。この実施形態では、突部受容孔は、１つの長孔状受容孔２７５と、１つの丸孔形状の丸孔状受容孔２７６とから構成されている。
【００５０】
長孔状受容孔２７５は、図５、図８に示すように、後述の第１レンズ保持部材３の位置決め用突部３２２を移動可能に受容し得るように所定の一方向に延されている。この実施形態では、長孔状受容孔２７５は、所定の幅Ｗで、第１支持部２７１と第２支持部２７２とを結ぶ回動軸Ｐ１に直交する直交方向Ｑ１に延されており、これにより、上記幅Ｗと直交する長手方向となる一方向の長さＬ１が幅Ｗよりも長い長孔形状に形成されている。
【００５１】
丸孔状受容孔２７６は、後述の第１レンズ保持部材３の位置決め用突部３２３の径と略同径の円形状の孔からなる。
【００５２】
また、この実施形態の長孔状受容孔２７５及び丸孔状受容孔２７６それぞれの内周壁は、図７に示すように位置決め用突部３２２が嵌挿する嵌挿部２７８ａと、嵌挿部２７８ａの像側（Ｘ２側）に、嵌挿部２７８ａよりも径大に形成された接着剤溜まり部２７８ｂが形成されている。
【００５３】
接着剤溜まり部２７８ｂは、接着剤を貯留するための部分で、この実施形態では、鍔本体２７０の像側の端面から所定の深さで、像側に漸次径が大きくなるテーパ状に形成されている。尚、接着剤溜まり部２７８ｂは、テーパ状に形成されるものに限らず、例えば長孔状受容孔２７５又は丸孔状受容孔２７６の内周壁の一部を切り欠いて凹部を形成するようにしてもよく、適宜変更できる。
【００５４】
次に、レンズ保持部材３〜６について説明する。レンズ保持部材は、この実施形態では、図１、図２に示すように、対物側から像側（Ｘ２側）に順次に配置された第１レンズ保持部材３、第２レンズ保持部材４、第３レンズ保持部材５、及び第４レンズ保持部材６から構成されている。
【００５５】
第１レンズ保持部材３は、図３〜図７に示すように、略円筒状の保持部材本体３１と、支持筒２５に支持される被支持片３２とを備えている。
【００５６】
保持部材本体３１は、内周部に、レンズを保持するレンズ保持部３１１を備えている。又、保持部材本体３１における像側の外周部に、支持筒２５の嵌挿部２６１に嵌挿される被嵌挿部３１２を備えている。そして、この被嵌挿部３１２が支持筒２５の嵌挿部２６１に嵌挿されることにより、被支持片３２が支持筒２５の鍔部２７の対物側（Ｘ１側）に、鍔部２７と対向するように配置されている。
【００５７】
また、この実施形態では、保持部材本体３１は、被嵌挿部３１２に、所定幅で被嵌挿部３１２の全周にわたって配置された弾性防塵体３１３を備えている。この弾性防塵体３１３は、ゴムやウレタン等の弾性体からなる細長いシート状のものを被嵌挿部３１２に両面テープ等で貼付けられて被嵌挿部３１２と支持筒２５の嵌挿部２６１との間に圧縮変形された状態で介在されている。これにより、弾性防塵体３１３によって支持筒２５の対物側からの微小なゴミ等がレンズ内部へ侵入するのを防ぐことができる。また、弾性防塵体３１３は径方向に全周にわたり圧縮されているため、レンズ鏡筒１に大きな衝撃が加わった場合においても第１レンズ保持部材３にかかる衝撃を緩和し、支持筒２５に対する変位量を抑えることで、光学性能劣化を抑制することができるようになっている。
【００５８】
被支持片３２は、図３に示すように円板形状のものから構成され、保持部材本体３１の外周の全周にわたって保持部材本体３１の外周から保持部材本体３１の径方向外側に突設されている。
【００５９】
この被支持片３２は、支持筒２５の第１支持部２７１〜第３支持部２７３それぞれに支持される３つの被支持部３２１と、長孔状受容孔２７５に受容される第１位置決め用突部３２２及び丸孔状受容孔２７６に受容される第２位置決め用突部３２３と、第１レンズ保持部材３とを接着した接着剤３２４とを備えている。
【００６０】
被支持部３２１は、第１支持部２７１〜第３支持部２７３と同じピッチ円上に、被支持片３２の周方向に沿って等間隔に配置されている。各被支持部３２１は、支持ボルト２７１ｂが挿通する挿通孔からなる。
【００６１】
第１位置決め用突部３２２は、図３、図８に示すように、長孔状受容孔２７５の幅Ｗと略同径の円柱状のものからなり、被支持片３２における像側の端面から像側、即ち鍔部２７に突設されており、長孔状受容孔２７５に移動可能に入り込んでいる。
【００６２】
第２位置決め用突部３２３は、第１位置決め用突部３２２と略同構成を採っており、丸孔状受容孔２７６に嵌挿されている。
【００６３】
接着剤３２４は、第１位置決め用突部３２２と長孔状受容孔２７５の内周壁における嵌挿部２７８ａとの間の部分及び接着剤溜まり部２７８ｂに配設されているとともに、第２位置決め用突部３２３と丸孔状受容孔２７６の内周壁における嵌挿部２７８ａとの間の部分及び接着剤溜まり部２７８ｂに配設されている。
【００６４】
また、この実施形態では、接着剤は、補助接着剤充填部２８０に充填されている。詳しくは、図３〜図５に示すように第１レンズ保持部材３は、被支持片３２に、複数（この実施形態では３つ）の補助用嵌挿突片３２５を備えている。一方、支持筒２５は、鍔部２７に、補助用嵌挿突片３２５それぞれを受容した補助突片用受容孔２７９を備えている。
【００６５】
補助用嵌挿突片３２５は、第１レンズ保持部材３の周方向に沿って等間隔に配置されている。各補助用嵌挿突片３２５は、第１位置決め用突部３２２と同構成を採っている。
【００６６】
補助突片用受容孔２７９は、補助用嵌挿突片３２５に対応する位置に配置されている。各補助突片用受容孔２７９は、丸孔状受容孔２７６と同構成を採っており、各補助突片用受容孔２７９の内周壁は、補助突片嵌挿部２７９ａと、補助突片嵌挿部２７９ａよりも径大に形成された補助用接着剤溜まり部２７９ｂを備えている。
【００６７】
そして、補助接着剤充填部２８０は、補助用嵌挿突片３２５と補助突片嵌挿部２７９ａとの間の部分及び補助用接着剤溜まり部２７９ｂから構成されており、接着剤３２４は、この補助接着剤充填部２８０に充填されている。尚、図では、補助接着剤充填部２８０に充填された接着剤は省略されている。
【００６８】
このように構成された第１レンズ保持部材３のレンズ保持部３１１に、１又は複数のレンズからなる第１レンズ群４１が嵌挿され、これにより、第１レンズ群４１が第１レンズ保持部材３に保持されている。又、第１レンズ保持部材３に保持された第１レンズ群４１は、図３、図６及び図７に示すようにレンズ外れ止め部材８１によって対物側から押さえられ、第１レンズ保持部材３から外れ止めされている。尚、図１、図２では、レンズ外れ止め部材８１は省略されている。
【００６９】
そして、第１レンズ群４１を保持した第１レンズ保持部材３は、次のようにして支持筒２５の支持部に、光軸Ｃと直交する光軸Ｃ直交方向の傾き調整可能に支持されている。
【００７０】
図７に示すように、第１位置決め用突部３２２及び第２位置決め用突部３２３がそれぞれ、支持筒２５の長孔状受容孔２７５、丸孔状受容孔２７６に嵌挿される。これにより、支持筒２５に対する第１レンズ保持部材３の径方向、即ち、光軸Ｃ直交方向の位置決めがなされる。
【００７１】
又、これらの第１位置決め用突部３２２及び第２位置決め用突部３２３の長孔状受容孔２７５、丸孔状受容孔２７６への嵌挿に際し、第１レンズ保持部材３の補助用嵌挿突片３２５が支持筒２５の補助突片用受容孔２７９に嵌挿される。これにより、支持筒２５に対する第１レンズ保持部材３の径方向、即ち、光軸Ｃ直交方向の位置が、より一層確実に決まる。
【００７２】
また、この状態で、第１レンズ保持部材３の被支持部３２１と支持筒２５の支持孔２７１ａとが位置合わせされた状態になる。
【００７３】
この状態から、３つの支持ボルト２７１ｂそれぞれが各被支持部３２１側から支持孔２７１ａに挿通され、各ナット部材２７１ｃに螺合される。
【００７４】
そして、この螺合状態で、且つ支持ボルト２７１ｂがナット部材２７１ｃに締め付けられる前の状態、即ち、この被支持片３２と支持筒２５の鍔部２７とに隙間が形成される状態で（図６参照）、図３に示すように第１支持部２７１における被支持片３２と支持筒２５の鍔部２７との隙間及び第２支持部２７２における被支持片３２と支持筒２５の鍔部２７との隙間に、座金９０が挿入される。これにより、図５に示すように第１レンズ保持部材３が第１支持部２７１と第２支持部２７２とを結ぶ線（第１支持部２７１の支持ボルト２７１ｂの軸心と第２支持部２７２の支持ボルト２７１ｂの軸心とを結ぶ線）を回動軸Ｐ１にして回動可能状態になる。
【００７５】
この状態で、図６に示すように第３支持部２７３における被支持片３２と支持筒２５の鍔部２７との間隔ｔが調整されることにより、第１レンズ保持部材３の光軸Ｃ直交方向の傾きが調整される。この調整は、例えば第３支持部２７３における被支持片３２と支持筒２５の鍔部２７との間隔ｔに、適宜な板厚の傾き調整ワッシャ９１を挿入して第３支持部２７３における被支持片３２と支持筒２５の鍔部２７との間隔ｔを調整することにより行われる。
【００７６】
その第１レンズ保持部材３の回動軸Ｐ回りの回動に際して長孔状受容孔２７５が回動軸Ｐ１に対して直交方向Ｑ１に延されているため、第１位置決め用突部３２２が長孔状受容孔２７５を円滑に相対移動し、第１位置決め用突部３２２が長孔状受容孔２７５の内周壁とこじれを起こすおそれの少ないものにできる。
【００７７】
傾き調整が終了した後は、第１支持部２７１〜第３支持部２７３のそれぞれの支持ボルト２７１ｂがナット部材２７１ｃに締め付けられ、第１レンズ保持部材３が支持筒２５に固定される。
【００７８】
その後、接着剤３２４が、第１位置決め用突部３２２と長孔状受容孔２７５の内周壁における嵌挿部２７８ａとの間の部分及び接着剤溜まり部２７８ｂに充填されるとともに、第２位置決め用突部３２３と丸孔状受容孔２７６の内周壁における嵌挿部２７８ａとの間の部分及び接着剤溜まり部２７８ｂに充填される。更に、補助接着剤充填部２８０に接着剤が充填される。これにより、傾き調整終了後の第１レンズ保持部材３が支持筒２５に、より一層強固に固定され、衝撃力を受けた場合にも、第１レンズ保持部材３が支持筒２５に対して可動し難いようにされる。
【００７９】
次に、第２レンズ保持部材４について説明する。第２レンズ保持部材４は、図１、図２に示すように、内周側に、１又は複数のレンズからなる第２レンズ群４２を保持している。又、第２レンズ保持部材４の外周に、３つのカムフォロア７が連結されている。これらのカムフォロア７は、円筒部２６の周方向に沿って等間隔に配置されている。
【００８０】
そして、第２レンズ保持部材４と連結したカムフォロア７が第２固定筒２１２の直進溝２１２ａ及びカム環２２の第２カム溝２２２に移動可能に入れられて係合しており、これにより、第２レンズ保持部材４がカムフォロア７を介して鏡筒本体２に移動可能に支持されている。
【００８１】
第３レンズ保持部材５は、内周側に、１又は複数のレンズからなる第３レンズ群４３を保持している。又、第３レンズ保持部材５の外周に、３つのカムフォロア７が連結されている。これらのカムフォロア７は、円筒部２６の周方向に沿って等間隔に配置されている。
【００８２】
また、第３レンズ保持部材５は、像側に、第４レンズ保持部材６を支持する支持軸５１を備えている。支持軸５１は、光軸Ｃ方向に沿って延ばされている。
【００８３】
そして、第３レンズ保持部材５と連結したカムフォロア７が第２固定筒２１２の直進溝２１２ａ及びカム環２２の第３カム溝２２３に移動可能に入れられて係合しており、これにより、第３レンズ保持部材５がカムフォロア７を介して鏡筒本体２に移動可能に支持されている。
【００８４】
第４レンズ保持部材６は、内周側に、１又は複数のレンズからなる第４レンズ群４４を保持している。この第４レンズ保持部材６は、第３レンズ保持部材５の支持軸５１に摺動可能に支持されている。又、第４レンズ保持部材６は、図示しない駆動モータと連結されている。この駆動モータは、フォーカス操作環２４と接続した上述のフォトセンサと電気的に接続されており、フォーカス操作環２４の回動方向及び回動量等を検知したフォトセンサからそれらの回動情報を得て、それらの回動情報に基づいて、第４レンズ保持部材６を支持軸５１に沿って対物側又は像側に摺動するようになっている。
【００８５】
以上のように構成された本発明に係るレンズ鏡筒１は、カム環２２が回動されることにより、第１レンズ保持部材３〜第１レンズ保持部材５のそれぞれに付設されたカムフォロア７が直進溝２１２ａ及びカム溝２２１〜２２３に沿って図１の広角端から図２の望遠端まで移動する。
【００８６】
また、フォーカス操作環２４が回転操作されることで、不図示のフォトセンサ及び駆動モータを介して第４レンズ保持部材６が支持軸５１に沿って移動することでフォーカシングさせることができる。
【００８７】
尚、上記実施形態では、突部受容孔が１つの長孔状受容孔２７５と１つの丸孔状受容孔２７６から構成され、位置決め用突部が長孔状受容孔２７５に受容される第１位置決め用突部３２２と丸孔状受容孔２７６に受容される第２位置決め用突部３２３とから構成されたが、この形態のものに限らず、適宜変更できる。
【００８８】
例えば図９、図１０に示すように、突部受容孔が第１長孔状受容孔２７５ａ、第２長孔状受容孔２７５ｂ、第３長孔状受容孔２７５ｃの３つから構成され、位置決め用突部が第１長孔状受容孔２７５ａ〜第３長孔状受容孔２７５ｃに受容される第１位置決め用突部３２２ａ〜第３位置決め用突部３２４ａの３つから構成されてもよい。
【００８９】
詳しくは、第１長孔状受容孔２７５ａは、上述のように、第１支持部２７１と第２支持部２７２とを結ぶ動軸Ｐ１に直交する直交方向Ｑ１に延されている。第２長孔状受容孔２７５ｂは、第２支持部２７２と第３支持部２７３とを結ぶ線を回動軸Ｐ２に直交する直交方向Ｑ２に延されている。又、第３長孔状受容孔２７５ｃは、第３支持部２７３と第１支持部２７１とを結ぶ回動軸Ｐ３に直交する直交方向Ｑ３に延されている。
【００９０】
このように構成されることにより、第１レンズ保持部材３が第１回動軸Ｐ１〜第３回動軸Ｐ３のそれぞれの軸回りに回動する場合でも第１長孔状受容孔２７５ａ〜第３長孔状受容孔２７５ｃのそれぞれに受容された位置決め用突部３２２ａ〜３２４ａがそれぞれの第１長孔状受容孔２７５ａ〜第３長孔状受容孔２７５ｃ内を移動できる。従って、第１レンズ保持部材３が周方向の３箇所で傾き調整される場合に、位置決め用突部３２２ａ〜３２４ａのこじれを抑えることができる。
【００９１】
また、第１レンズ保持部材３を支持筒２５に組付ける際、支持筒２５に対して第１レンズ保持部材３を光軸回りに回動させることで各被支持部を第１支持部と第２支持部と第３支持部とのいずれかに支持でき、組付け操作が容易になる。また、支持筒に対して第１レンズ保持部材を光軸回りに回動させて、誤差による光学性能劣化が最も小さい被支持部と第１支持部から第３支持部とを位置合わせて第１レンズ保持部材の鏡筒本体に対する傾き調整を行うことも可能になる。
【００９２】
また、第１レンズ保持部材３に対して鏡筒本体２を所定の方向に付勢する弾性片（付勢部）２９１を備えたものとしてもよい。
【００９３】
詳しくは、図１２〜図１４に示すように、例えば筐体本体２は、第３突部受容孔２７５ｃに受容された位置決め用突部３２４ａを付勢する弾性を有する弾性片２９１と、弾性片２９１を挟んで突部受容孔２７５ｃと反対側に形成された長孔状の弾性形成用孔２９２とを備えている。
【００９４】
弾性片２９１は、位置決め用突部３２４ａが突部受容孔２７５ｃに受容される際に、位置決め用突部３２４ａの外周に押圧されて弾性変形し弾性変形に伴う弾性力（付勢力）Ｗ１によって位置決め用突部３２４ａの外周を付勢するように、レンズ保持部材３の一部から構成されている。
【００９５】
また、弾性片２９１は、第１レンズ保持部材３を保持した鏡筒本体２が光軸水平状態で、第１レンズ保持部材３に対して鏡筒本体２を付勢する付勢力Ｗ１が鏡筒本体２の重力方向と同一方向の重力方向成分Ｗ２を持つように形成されている。
【００９６】
弾性形成用孔２９２は、位置決め用突部３２４ａが突部受容孔２７５ｃに受容されるに伴い弾性片２９１が弾性変形し得るようにレンズ保持部材の一部をカットした態様で形成されている。
【００９７】
このように構成されることにより、第１レンズ保持部材の傾き調整を行う際に、第１レンズ保持部材に対する支持筒の微小な変位の発生を抑えることができ、傾き調整を容易に且つ正確に行うことができる。又、弾性片２９１は、弾性形成用孔２９２によって第１レンズ保持部材３における突部受容孔２７５ｃと位置決め用突部３２４ａとの間の部位から構成されているため、別途に付勢部材を設けずに済み、部品点数を少なくできるとともに、低コスト化を図ることができる。
【００９８】
また、弾性片２９１の付勢力Ｗ１が鏡筒本体２が光軸水平状態となるレンズ鏡筒１の基本姿勢における鏡筒本体２の重力方向と同一方向の重力方向成分Ｗ２を持つように形成されているため、第１レンズ保持部材３に対して鏡筒本体２を効率的にガタ寄せでき、第１レンズ保持部材３鏡筒本体２とのガタを確実に抑えることができる。
【００９９】
また、上記実施形態では、第１レンズ保持部材３が位置決め用突部を備え、鏡筒本体２の支持筒２５が突部受容孔を備えたものとされたが、この形態のものに限らず、適宜変更できる。例えば第１レンズ保持部材３が突部受容孔を備え、鏡筒本体２の支持筒２５が位置決め用突部を備えたものとされてもよい。
【０１００】
また、上記実施形態では、傾き調整は傾き調整ワッシャ９１で行ったが、この形態のものに限らず、適宜変更できる。例えばボルトを用い、そのボルトの回転により調整箇所の間隙を変更する調整機構であってもよい。また、傾き調整ワッシャ９１を用いる場合に、Ｕ字形状の切欠きを有する形態のものに限らず、適宜変更できる。ただし、切欠きを有するものであれば、外径側から抜き差しでき、作業性がよい点で切欠きを有する傾き調整ワッシャ９１を用いるのが好ましい。
【符号の説明】
【０１０１】
１    レンズ鏡筒
２    鏡筒本体
３    第１レンズ保持部材
４    第２レンズ保持部材
５    第３レンズ保持部材
６    第４レンズ保持部材
Ｃ    光軸
２１    固定筒
２２    カム環
２３    ズーム操作環
２４    フォーカス操作環
２５    支持筒
２７５    長孔状受容孔（突部受容孔）
２７６    丸孔状受容孔（突部受容孔）
３２２    位置決め用突部
【図１】
0006645291.tif 000002
【図２】
0006645291.tif 000003
【図３】
0006645291.tif 000004
【図４】
0006645291.tif 000005
【図５】
0006645291.tif 000006
【図６】
0006645291.tif 000007
【図７】
0006645291.tif 000008
【図８】
0006645291.tif 000009
【図９】
0006645291.tif 000010
【図１０】
0006645291.tif 000011
【図１１】
0006645291.tif 000012
【図１２】
0006645291.tif 000013
【図１３】
0006645291.tif 000014
【図１４】
0006645291.tif 000015